(57)【要約】【課題】  ビデオカメラやデジタルカメラ等の動画および静止画を撮影可能な撮像装置において、動画と静止画の同時撮影を可能にする。【解決手段】  光電変換を行う撮像素子と、前記撮像素子で撮像した画像をデジタル変換し、ＲＡＷ画像に変換するＡ／Ｄ手段と、内部記憶装置と、ＲＡＷ画像に対し画像処理を行い、動画像および静止画像を生成する信号処理装置と、外部記録装置と、動画撮影指示検出手段および静止画撮影指示検出手段とを備え、動画記録中に静止画撮影指示検出手段により静止画撮影が検出されると、ＲＡＷ画像およびカメラ制御パラメータを内部記憶装置に記憶し、動画撮影終了後、ＲＡＷ画像およびカメラ制御パラメータを内部記憶装置より読み出し、読み込んだカメラ制御パラメータに基づいてＲＡＷ画像に画像処理を施したのち、外部記録装置に記録することを特徴とする撮像装置。【選択図】  図２
2007166182.tif 000002
【特許請求の範囲】
【請求項１】
光電変換を行う撮像素子と、前記撮像素子で撮像した画像をデジタル変換し、ＲＡＷ画像に変換するＡ／Ｄ手段と、内部記憶装置と、ＲＡＷ画像に対し画像処理を行い、動画像および静止画像を生成する信号処理装置と、外部記録装置と、動画撮影指示検出手段および静止画撮影指示検出手段とを備えた撮像装置において、
動画記録中に静止画撮影指示検出手段により静止画撮影が検出されると、ＲＡＷ画像およびカメラ制御パラメータを内部記憶装置に記憶し、動画撮影終了後、ＲＡＷ画像およびカメラ制御パラメータを内部記憶装置より読み出し、読み込んだカメラ制御パラメータに基づいてＲＡＷ画像に画像処理を施したのち、外部記録装置に記録することを特徴とする撮像装置。
【請求項２】
光電変換を行う撮像素子と、前記撮像素子で撮像した画像をデジタル変換し、ＲＡＷ画像に変換するＡ／Ｄ手段と、内部記憶装置と、ＲＡＷ画像に対し画像処理を行い、動画像および静止画像を生成する信号処理装置と、外部記録装置と、動画撮影指示検出手段および静止画撮影指示検出手段とを備えた撮像装置において、
動画記録中に静止画撮影指示検出手段により静止画撮影が検出されると、ＲＡＷ画像を外部記録装置に、カメラ制御パラメータを内部記憶装置に記憶し、動画撮影終了後、ＲＡＷ画像およびカメラ制御パラメータを内部記憶装置および外部記録装置より読み出し、読み込んだカメラ制御パラメータに基づいてＲＡＷ画像に画像処理を施したのち、外部記録装置に記録することを特徴とする撮像装置。
【請求項３】
光電変換を行う撮像素子と、前記撮像素子で撮像した画像をデジタル変換し、ＲＡＷ画像に変換するＡ／Ｄ手段と、内部記憶装置と、ＲＡＷ画像に対し画像処理を行い、動画像および静止画像を生成する信号処理装置と、外部記録装置と、動画撮影指示検出手段および静止画撮影指示検出手段とを備えた撮像装置において、
動画記録中に静止画撮影指示検出手段により静止画撮影が検出されると、ＲＡＷ画像を内部記憶装置に、カメラ制御パラメータを外部記録装置に記憶し、動画撮影終了後、ＲＡＷ画像およびカメラ制御パラメータを内部記憶装置および外部記憶装置より読み出し、読み込んだカメラ制御パラメータに基づいてＲＡＷ画像に画像処理を施したのち、外部記録装置に記録することを特徴とする撮像装置。
【請求項４】
光電変換を行う撮像素子と、前記撮像素子で撮像した画像をデジタル変換し、ＲＡＷ画像に変換するＡ／Ｄ装置と、ＲＡＷ画像に対し画像処理を行い、動画像および静止画像を生成する信号処理装置と、外部記録装置と、動画撮影指示検出手段および静止画撮影指示検出手段とを備えた撮像装置において、
動画記録中に静止画撮影指示検出手段により静止画撮影が検出されると、ＲＡＷ画像およびカメラ制御パラメータを外部記録装置に記録し、動画撮影終了後、ＲＡＷ画像およびカメラ制御パラメータを外部記録装置より読み出し、読み込んだカメラ制御パラメータに基づいてＲＡＷ画像に画像処理を施したのち、外部記録装置に記録することを特徴とする撮像装置。
【請求項５】
請求項１および２、３、４に記載の撮像装置において、カメラ制御パラメータは、露出制御値を含むことを特徴とする撮像装置。
【請求項６】
請求項１および２、３、４に記載の撮像装置において、カメラ制御パラメータは、ズーム制御値を含むことを特徴とする撮像装置。
【請求項７】
請求項１および２、３、４に記載の撮像装置において、カメラ制御パラメータは、フォーカス制御値を含むことを特徴とする撮像装置。
【請求項８】
請求項１および２、３、４に記載の撮像装置において、カメラ制御パラメータは、ＷＢ制御値を含むことを特徴とする撮像装置。
【請求項９】
請求項１および２、３、４に記載の撮像装置において、カメラ制御パラメータは、ストロボ制御値を含むことを特徴とする撮像装置。
【請求項１０】
請求項１および２、３、４に記載の撮像装置において、カメラ制御パラメータは、カメラ防振制御値を含むことを特徴とする撮像装置。
【請求項１１】
請求項１および２、３、４に記載の撮像装置において、ＲＡＷ画像は、画像処理を施す前のデジタル画像データであることを特徴とする撮像装置。
【請求項１２】
請求項１および２、３、４に記載の撮像装置において、ＲＡＷ画像は、一部の画像処理を施したデジタル画像データであることを特徴とする撮像装置。
【請求項１３】
請求項１および２、３、４に記載の撮像装置において、ＲＡＷ画像を可逆圧縮、伸張を行う回路を備え、ＲＡＷ画像を可逆圧縮、伸張して記憶装置に記録、取り出しを行うことを特徴とする撮像装置。
【発明の詳細な説明】
【技術分野】
【０００１】
本発明は、デジタルビデオカメラやデジタルカメラなどの、静止画像および動画像を同時に撮像、記録、再生する撮像装置に関する。
【背景技術】
【０００２】
動画像を撮影するデジタルビデオカメラにおいては、動画だけでなく、静止画も撮影する機能を付加したものが一般的となっている。また同様に、静止画を撮影するデジタルカメラにおいても、静止画だけでなく動画も撮影する機能を付加したものが一般的となっている。
【０００３】
現在、これらにおいては、動画や静止画撮影を行う場合、それぞれの撮影モードに応じて、最適な画像処理を行った後、記録を行っている。
【０００４】
たとえば、動画撮影時においては、ＴＶ視聴に最適な階調性を持たせるようなガンマをかけ、静止画撮影時においては、写真印刷に最適な階調性を持たせるようなガンマをかける必要がある。
【０００５】
また、動画記録規格であるminiDVにおいては、720*480pixelの解像度であるのに対し、静止画撮影においては、1600*1200pixelなど、動画に比べて大きな解像度である。動画と静止画で解像度が異なるため、それぞれにおいて、最適な画像処理、たとえばアパーチャや、ノイズリダクション等の処理を行う必要がある。
【０００６】
そのため、現在のビデオカメラやデジタルカメラにおいては、動画撮影時と静止画撮影時それぞれにおいて、撮影モードを設定し、撮影モードに応じて、信号処理ＩＣに、動画、静止画時それぞれに最適な画像処理パラメータを与えて処理させている。
【０００７】
また、撮影した画像を撮影直後に再生表示しその後記録するか、撮影した画像の画質を生かして記録し、その後撮影した画像を再生表示するかが選択できるものがある。（特許文献１参照）
また、動画撮影中に、静止画を撮影可能なビデオカメラにおいては、動画撮影時の画像処理と同じ処理を記録する静止画に対して行うため、静止画として最適な画像を得ることはできなかった。（非特許文献１参照）
また、上記のビデオカメラやデジタルカメラのほか、動画、静止画の撮影モードを設けずに、動画像を撮影しながら静止画像を撮影するために、撮像系および画像処理系を2つもち、それぞれ独立して動画像と静止画像の画像処理と記録を行うものもある。
【特許文献１】特開平１１−２６１９３３号公報
【特許文献２】特開平６−１４２６１号公報
【非特許文献１】「デジタルビデオカメラ  IXY DV M3 使用説明書」(ＩＸＹは登録商標です)  キヤノン株式会社  2004年  p.106
【発明の開示】
【発明が解決しようとする課題】
【０００８】
前述のように、動画像と静止画像を撮影する場合、それぞれ最適な画像処理を行うために、従来の構成では、それぞれの撮影モードに切り替えなければならず、動画と静止画を同時に撮影することは困難であった。
【０００９】
また、動画撮影中に静止画を同時に撮影することが可能なデジタルビデオカメラにおいては、動画撮影時の画像処理と同じ処理を行うため、静止画として最適な画像を得ることはできなかった。
【００１０】
また、上記問題を解決するために、動画と静止画の処理を同時に行おうとすると、信号処理を通常の倍以上の速度で行わなければならず、信号処理装置の高速化が必要である。
【００１１】
また、撮像系、画像処理系などを複数もち、それぞれ独立して動画像、静止画像処理、記録を行うことで、静止画と動画のモードを切り替えずに同時に記録できるようにしたものもあるが、その機構は複雑であり、また光学素子や信号処理ＩＣなどを複数搭載しなければならず、高いコストを必要とするものであった。
【課題を解決するための手段】
【００１２】
本発明は、光電変換を行う撮像素子と、前記撮像素子で撮像した画像をＲＡＷ画像に変換するＡ／Ｄ手段と、内部記憶装置と、ＲＡＷ画像に対し画像処理を行い、動画像および静止画像を生成する信号処理装置と、外部記録装置と、動画撮影指示検出手段および静止画撮影指示検出手段とを備え、動画記録中に静止画撮影指示検出手段により静止画撮影が検出されると、ＲＡＷ画像およびカメラ制御パラメータを内部記憶装置に記憶し、動画撮影終了後、ＲＡＷ画像およびカメラ制御パラメータを内部記憶装置より読み出し、読み込んだカメラ制御パラメータに基づいてＲＡＷ画像に画像処理を施したのち、外部記録装置に記録することを特徴とする撮像装置である。
【００１３】
本発明は、光電変換を行う撮像素子と、前記撮像素子で撮像した画像をＲＡＷ画像に変換するＡ／Ｄ手段と、内部記憶装置と、ＲＡＷ画像に対し画像処理を行い、動画像および静止画像を生成する信号処理装置と、外部記録装置と、動画撮影指示検出手段および静止画撮影指示検出手段とを備えた撮像装置において、動画記録中に静止画撮影指示検出手段により静止画撮影が検出されると、ＲＡＷ画像を外部記録装置に、カメラ制御パラメータを内部記憶装置に記憶し、動画撮影終了後、ＲＡＷ画像およびカメラ制御パラメータを内部記憶装置および外部記録装置より読み出し、読み込んだカメラ制御パラメータに基づいてＲＡＷ画像に画像処理を施したのち、外部記録装置に記録することを特徴とする撮像装置である。
【００１４】
本発明は、光電変換を行う撮像素子と、前記撮像素子で撮像した画像をＲＡＷ画像に変換するＡ／Ｄ手段と、内部記憶装置と、ＲＡＷ画像に対し画像処理を行い、動画像および静止画像を生成する信号処理装置と、外部記録装置と、動画撮影指示検出手段および静止画撮影指示検出手段とを備えた撮像装置において、動画記録中に静止画撮影指示検出手段により静止画撮影が検出されると、ＲＡＷ画像を内部記憶装置に、カメラ制御パラメータを外部記録装置に記憶し、動画撮影終了後、ＲＡＷ画像およびカメラ制御パラメータを内部記憶装置および外部記憶装置より読み出し、読み込んだカメラ制御パラメータに基づいてＲＡＷ画像に画像処理を施したのち、外部記録装置に記録することを特徴とする撮像装置である。
【００１５】
本発明は、光電変換を行う撮像素子と、前記撮像素子で撮像した画像をＲＡＷ画像に変換するＡ／Ｄ装置と、ＲＡＷ画像に対し画像処理を行い、動画像および静止画像を生成する信号処理装置と、外部記録装置と、動画撮影指示検出手段および静止画撮影指示検出手段とを備えた撮像装置において、動画記録中に静止画撮影指示検出手段により静止画撮影が検出されると、ＲＡＷ画像およびカメラ制御パラメータを外部記録装置に記録し、動画撮影終了後、ＲＡＷ画像およびカメラ制御パラメータを外部記録装置より読み出し、読み込んだカメラ制御パラメータに基づいてＲＡＷ画像に画像処理を施したのち、外部記録装置に記録することを特徴とする撮像装置である。
【００１６】
本発明は、上記の撮像装置において、カメラ制御パラメータは、露出制御値、ズーム制御値、フォーカス制御値、ＷＢ制御値、ストロボ制御値、カメラ防振制御値を含むことを特徴とする撮像装置である。
【００１７】
本発明は、上記の撮像装置において、ＲＡＷ画像は、画像処理を施す前のデジタル画像データであることを特徴とすることを特徴とする撮像装置である。
【００１８】
本発明は、上記の撮像装置において、ＲＡＷ画像は、一部の画像処理を施したデジタル画像データであることを特徴とする撮像装置である。
【００１９】
本発明は、上記の撮像装置において、ＲＡＷ画像を可逆圧縮、伸張を行う回路を備え、ＲＡＷ画像を可逆圧縮、伸張して記憶装置に記録、取り出しを行うことを特徴とする撮像装置である。
【発明の効果】
【００２０】
本発明においては、上記の手段により、従来に比べ、より簡便な方法で、より高い画質の画像を得る事が出来、なおかつ、従来の回路構成に対してわずかな回路の追加で済むため、よる低いコストで、動画と静止画の同時撮影が可能となる。
【発明を実施するための最良の形態】
【００２１】
図２に本発明に係る撮像装置の全体構成図を示す。
【００２２】
201は撮像する映像を結像するためのレンズであり、202は入射する光量を制限するアイリス・メカシャッターであり、203はレンズ201およびアイリス・メカシャッター202を駆動するレンズ・アイリス駆動回路である。
【００２３】
204は結像した光を光電変換するＣＣＤ、205はＣＣＤ204の信号を相関二重サンプリング（ＣＤＳ）、ゲインコントロール、Ａ／Ｄ変換を行うＣＤＳ・ＡＧＣ・Ａ／Ｄ回路である。
【００２４】
206はＣＤＳ・ＡＧＣ・Ａ／Ｄ回路205の出力するＲＡＷ画像データを一時的に記憶する内部メモリであり、207は内部メモリ206とＣＤＳ・ＡＧＣ・Ａ／Ｄ回路205と、信号処理回路209、静止画像入出力コントローラ212とを相互に接続する内部メモリコントローラである。
【００２５】
208はＣＣＤ204や、ＣＤＳ・ＡＧＣ・Ａ／Ｄ回路205に対し、水平・垂直転送パルスや、シャッターパルス、サンプルホールド信号、水平・垂直同期信号などを供給するＴＧ（タイミング発生器）である。
【００２６】
209は内部メモリコントローラ207から出力されるＲＡＷ画像データを入力し、リサイズ処理、アパーチャ処理、色信号処理などを行い、静止画像および動画像を生成する信号処理回路である。
【００２７】
210は動画記録媒体211を制御し、動画像などの入出力を行う動画像入出力コントローラーであり、また、211は動画記録媒体であり、磁気テープ、磁気ディスク、光ディスクなどである。
【００２８】
212は静止画記録媒体213を制御し、静止画像などの入出力を行う静止画像入出力コントローラであり、また、213は静止画記録媒体であり、メモリーカード等である。
【００２９】
214は、レンズ・アイリス駆動回路203、内部メモリコントローラ207、ＴＧ208、信号処理回路209に対し制御を行うシステムコントローラーである。
【００３０】
215は動画の記録開始・停止をシステムコントローラー214に指示する動画記録・停止スイッチであり、216は静止画撮影をシステムコントローラー214に指示する静止画撮影スイッチである。
【００３１】
217は、撮像、再生した画像を表示する、パネル出力回路である。
【００３２】
また、図３は、システムコントローラー内部の、本発明に関連する部分について詳細に記した図である。
【００３３】
310は、信号処理回路209からの、ＡＥやＷＢ，ＡＦのための検波信号を入力し、これらに基づいてＴＧ288、レンズ・アイリス駆動回路209の制御を行い、アイリスエンコーダー値やＡＧＣゲイン、ＷＢゲインなどのカメラ制御パラメータを信号処理パラメータを演算回路315に設定する。カメラ制御回路である。
【００３４】
311は、動画撮影時に信号処理回路209に設定するための、動画信号処理用基本パラメータであり、312は、静止画撮影時に信号処理回路209に設定するための、静止画信号処理用基本パラメータである。これらは、動画、静止画それぞれにおいて設定すべき、画像サイズなどの信号処理パラメータのほか、アイリスエンコーダー値やＡＧＣゲイン、ＷＢゲインなどのカメラ制御パラメータに応じて変化する、アパーチャ―ゲインのゲイン量テーブル、ノイズリダクション量のテーブル、カラーバランス用のテーブルなどが含まれる。
【００３５】
313は、動画、静止画撮影時に、それぞれ最適な信号処理用基本パラメータを信号処理回路209に入力するためのスイッチである。
【００３６】
314は、動画信号処理用基本パラメータ311および静止画信号処理用基本パラメータ312を格納する内部ＲＯＭである。
【００３７】
315は、カメラ制御回路からのカメラ制御パラメータと、内部ＲＯＭ314から読み込んだ、動画信号処理用基本パラメータ311もしくは静止画信号処理用基本パラメータ312に基づいて、信号処理パラメータを制御し、信号処理回路に設定する、信号処理パラメータ演算回路である。すなわち、アイリスエンコーダー値やＡＧＣゲインなどのアイリス制御値や、ズーム制御値、ＷＢ制御値などの、カメラ制御パラメータに基づいて、最適なアパーチャ―ゲイン量やノイズリダクションゲイン量、カラーバランスゲインなどの、信号処理パラメータを算出する回路である。
【００３８】
たとえば、特開平６−１４２６１のように、アイリスエンコーダー値に応じてアパーチャゲイン量テーブルより最適なゲイン量を算出したり、ＡＧＣ量に応じてノイズリダクション量を設定する、等を、この信号処理パラメータ演算回路315で行う。
【実施例１】
【００３９】
図１および図４は本発明の動作をあらわすフローチャートであり、また、図２、図３は本発明の構成を表すブロック図である。本発明を図１および図４のフローチャートに沿って、図２、図３を参照しながら説明する。
【００４０】
動画記録・停止スイッチ215が押され、動画記録が開始されている（Ｆ101）。この時点において、内部メモリコントローラ207は、ＣＤＳ・ＡＧＣ・Ａ／Ｄ205からのＲＡＷ画像データを信号処理回路209に出力する。信号処理パラメータ演算回路315は、カメラ制御回路310からのカメラ制御パラメータと、内部ＲＯＭ314から読み込んだ動画信号処理用基本パラメータ311に基づいて、動画信号処理パラメータを算出し、信号処理回路209に設定する。そして、信号処理回路209はＲＡＷ画像データに対し動画用の信号処理を行い、動画入出力コントローラ210を介して、動画記録媒体211に動画像を記録している。
【００４１】
続いて、システムコントローラー214は静止画記録スイッチ216の検出および動画記録・停止スイッチ215の検出を行う（Ｆ102、Ｆ106）。
【００４２】
静止画記録スイッチ216が検出されると（Ｆ102）、内部メモリコントローラ207は信号処理回路209および内部メモリ206にＲＡＷ画像データを出力し（Ｆ103）、内部メモリ206にＲＡＷ画像データを記録する（Ｆ104）。
また、このときのカメラ制御パラメータを内部メモリに記録する（Ｆ105）。
【００４３】
動画記録・停止スイッチ215が検出されると（Ｆ106）、動画像入出力コントローラ210は動画記録を停止する（Ｆ107）。
【００４４】
このとき、内部メモリ206にＲＡＷ画像データが記録されていた場合（Ｆ108）、カメラ制御回路310は、内部メモリコントローラ207を介して、内部メモリ206に動画撮影終了時のカメラ制御パラメータを記録し、バックアップする（Ｆ401）。
【００４５】
カメラ制御回路310は、内部メモリコントローラ207を介して、内部メモリ206に記録された静止画撮影時のカメラ制御パラメータを読み込み、信号処理パラメータ演算回路315に設定する（Ｆ402）。
【００４６】
システムコントローラー214は、スイッチ313をｂに切り替え、静止画信号処理用基本パラメータ312を信号処理パラメータ演算回路315に設定する（Ｆ403）。
信号処理パラメータ演算回路315は、読み込んだ静止画撮影時のカメラ制御パラメータと静止画信号処理用基本パラメータ312に基づいて静止画信号処理パラメータを算出し、信号処理回路209に設定する（Ｆ404）。
【００４７】
次に、内部メモリコントローラー207は、ＣＤＳ・ＡＧＣ・Ａ／Ｄ205からのＲＡＷ画像データを遮断し、内部メモリ206から保存した静止画ＲＡＷ画像データを読み込み、信号処理回路209に出力する（Ｆ405）。
【００４８】
信号処理回路209は、読み込んだ静止画ＲＡＷ画像データに対し、静止画用画像処理を行い、静止画データを生成し、静止画入出力コントローラ212に出力する（Ｆ406）。
【００４９】
静止画像入出力コントローラ212は、信号処理回路209から出力された静止画データを、静止画記録媒体213に記録する（Ｆ407）。
【００５０】
カメラ制御回路310は、内部メモリコントローラ207を介して内部メモリ206にバックアップされた動画撮影終了時のカメラ制御パラメータを読み込み、信号処理パラメータ演算回路315に設定する（Ｆ408）。
【００５１】
システムコントローラー214は、スイッチ313をａに切り替え、動画信号処理用基本パラメータ311を信号処理回路209に設定する（Ｆ409）。
【００５２】
信号処理パラメータ演算回路315は、読み込んだ動画撮影時のカメラ制御パラメータと動画信号処理用基本パラメータ311に基づいて動画信号処理パラメータを算出し、信号処理回路209に設定する（Ｆ410）。
【００５３】
内部メモリコントローラ207は、ＣＤＳ・ＡＧＣ・Ａ／Ｄ205から撮像したＲＡＷ画像データを読み込み、信号処理回路209に出力し（Ｆ411）、信号処理回路209は読み込んだＲＡＷ画像データに対し、動画用画像処理を行い、動画像を生成し（Ｆ412）、動作を終了する。
【００５４】
以上のように動作することで、従来に比べ、より簡便な方法で、より高い画質の画像を得る事が出来、なおかつ、従来の回路構成に対してわずかな回路の追加で済むため、よる低いコストで、動画と静止画の同時撮影が可能となる。
【００５５】
また、本実施例では、静止画撮影時のカメラ制御パラメータを静止画ＲＡＷ画像データと共に、静止画記録媒体に記録したが、請求項２のように静止画ＲＡＷ画像データを静止画記録媒体に、カメラ制御パラメータを内部メモリに記録したり、請求項３のように、静止画ＲＡＷ画像データを内部メモリに、カメラ制御パラメータを静止画記録媒体に記録したりしても良い。
【実施例２】
【００５６】
請求項４に記載の発明について実施例を示す。
【００５７】
図５および図６は、本発明の動作をあらわすフローチャートであり、また、図２、図３は実施例１と同様、本発明の構成を表すブロック図である。本発明を図５および図６のフローチャートに沿って、図２、図３を参照しながら説明する。
【００５８】
動画記録・停止スイッチ215が押され、動画記録が開始されている（Ｆ501）。この時点において、内部メモリコントローラ207は、ＣＤＳ・ＡＧＣ・Ａ／Ｄ205からのＲＡＷ画像データを信号処理回路209に出力する。信号処理パラメータ演算回路315は、内部ＲＯＭ314から読み込んだ動画信号処理用基本パラメータ311と、カメラ制御回路310からのカメラ制御パラメータに基づいて動画信号処理パラメータを算出し、信号処理回路209に設定する。そして、信号処理回路209はＲＡＷ画像データに対し動画用の信号処理を行い、動画入出力コントローラ210を介して、動画記録媒体211に動画像を記録している。
【００５９】
続いて、システムコントローラー214は静止画記録スイッチ216の検出および動画記録・停止スイッチ215の検出を行う（Ｆ502、Ｆ506）。
【００６０】
静止画記録スイッチ216が検出されると（Ｆ502）、内部メモリコントローラ207は信号処理回路209および静止画像入出力コントローラ212にＲＡＷ画像データを出力し（Ｆ503）、静止画記録媒体213にＲＡＷ画像データを記録する（Ｆ504）。
【００６１】
また、このときのカメラ制御パラメータを静止画記録媒体213に記録する（Ｆ505）。
【００６２】
動画記録・停止スイッチ215が検出されると（Ｆ506）、動画像入出力コントローラ210は動画記録を停止する（Ｆ507）。
【００６３】
このとき、静止画記録媒体213にＲＡＷ画像データが記録されていた場合（Ｆ508）、カメラ制御回路310は、内部メモリコントローラ207および静止画像入出力コントローラ212を介して、静止画記録媒体213に動画撮影終了時のカメラ制御パラメータを記録し、バックアップする（Ｆ601）。
【００６４】
カメラ制御回路310は、内部メモリコントローラ207および静止画像入出力コントローラ212を介して、静止画記録媒体213に記録された静止画撮影時のカメラ制御パラメータを読み込み、信号処理パラメータ演算回路315に設定する（Ｆ602）。
【００６５】
システムコントローラー214は、スイッチ313をｂに切り替え、静止画信号処理用基本パラメータ312を信号処理パラメータ演算回路315に設定する（Ｆ603）。
【００６６】
信号処理パラメータ演算回路315は、読み込んだ静止画撮影時のカメラ制御パラメータと静止画信号処理用基本パラメータ312に基づいて静止画信号処理パラメータを算出し、信号処理回路209に設定する（Ｆ604）
次に、内部メモリコントローラー207は、ＣＤＳ・ＡＧＣ・Ａ／Ｄ205からのＲＡＷ画像データを遮断し、静止画像入出力コントローラ212を介して、静止画記録媒体213に記録された静止画ＲＡＷ画像データを読み込み、信号処理回路209に出力する（Ｆ605）。
【００６７】
信号処理回路209は、読み込んだ静止画ＲＡＷ画像データに対し、静止画用画像処理を行い、静止画データを生成し、静止画入出力コントローラ212に出力する（Ｆ606）。
【００６８】
静止画像入出力コントローラ212は、信号処理回路209から出力された静止画データを、静止画記録媒体213に記録する（Ｆ607）。
【００６９】
カメラ制御回路310は、内部メモリコントローラ207および静止画像入出力コントローラ212を介して、静止画記録媒体213にバックアップされた動画撮影時のカメラ制御パラメータを読み込み、信号処理パラメータ演算回路315に設定する（Ｆ608）。
【００７０】
システムコントローラー214は、スイッチ313をａに切り替え、動画信号処理用基本パラメータ311を信号処理回路209に設定する（Ｆ609）。
【００７１】
信号処理パラメータ演算回路315は、読み込んだ動画撮影時のカメラ制御パラメータと動画信号処理用基本パラメータ311に基づいて動画信号処理パラメータを算出し、信号処理回路209に設定する（Ｆ610）。
【００７２】
内部メモリコントローラ207は、ＣＤＳ・ＡＧＣ・Ａ／Ｄ205から撮像したＲＡＷ画像データを読み込み、信号処理回路209に出力し（Ｆ611）、信号処理回路209は読み込んだ画像データに対し、動画用画像処理を行い、動画像を生成し（Ｆ612）、動作を終了する。
【００７３】
以上のように動作することで、従来に比べ、より簡便な方法で、より高い画質の画像を得る事が出来、なおかつ、従来と同様の構成で済むため、よる低いコストで、動画と静止画の同時撮影が可能となる。
【００７４】
また、本実施例の場合、静止画記録媒体213の記憶容量が許す限り、複数枚の静止画を動画撮影中に記録することが可能となる。この場合、撮影した静止画枚数分、図６のフローチャートの動作を繰り返す。
【実施例３】
【００７５】
上記実施例１および２においては、ＣＤＳ・ＡＧＣ・Ａ／Ｄ205から出力されたものを、ＲＡＷ画像データとして記録していたが、本実施例については、実施例１および２に加え、一部の画像処理、たとえば、リサイズ処理などを行った上で、内部メモリ206や静止画記録媒体213に記録を行う。
【００７６】
このときの構成図について、図２と異なる部分について図７に示す。
【００７７】
701は、内部メモリコントローラからのＲＡＷ画像データに対し、リサイズ処理や色変換処理などを行う、初期信号処理回路である。
【００７８】
以下に、本実施例について図７の構成図、および、図８、図９のフローチャートを参照しながら説明する。
【００７９】
動画記録・停止スイッチ215が押され、動画記録が開始されている（Ｆ801）。この時点において、内部メモリコントローラ207は、ＣＤＳ・ＡＧＣ・Ａ／Ｄ205からのＲＡＷ画像データを信号処理回路209に出力する。信号処理パラメータ演算回路315は、カメラ制御回路310からのカメラ制御パラメータと、内部ＲＯＭ314から読み込んだ動画信号処理用基本パラメータ311に基づいて、動画信号処理パラメータを算出し、信号処理回路209に設定する。そして、信号処理回路209はＲＡＷ画像データに対し動画用の信号処理を行い、動画入出力コントローラ210を介して、動画記録媒体211に動画像を記録している。
【００８０】
続いて、システムコントローラー214は静止画記録スイッチ216の検出および動画記録・停止スイッチ215の検出を行う（Ｆ802、Ｆ807）。
【００８１】
静止画記録スイッチ216が検出されると（Ｆ802）、内部メモリコントローラ207は信号処理回路209および初期信号処理回路701にＲＡＷ画像データを出力し（Ｆ803）、初期信号処理回路701は、ＲＡＷ画像データに対して、リサイズ処理や色変換処理などの静止画用初期信号処理を行う（Ｆ804）。
【００８２】
初期信号処理を行ったＲＡＷ画像データを、内部メモリ206に記録する（Ｆ805）。
【００８３】
また、このときのカメラ制御パラメータを内部メモリに記録する（Ｆ806）。
【００８４】
動画記録・停止スイッチ215が検出されると（Ｆ807）、動画像入出力コントローラ210は動画記録を停止する（Ｆ808）。
【００８５】
このとき、内部メモリ206にＲＡＷ画像データが記録されていた場合（Ｆ809）、カメラ制御回路310は、内部メモリコントローラ207を介して、内部メモリ206に動画撮影終了時のカメラ制御パラメータを記録し、バックアップする（Ｆ901）。
【００８６】
カメラ制御回路310は、内部メモリコントローラ207を介して、内部メモリ206に記録された静止画撮影時のカメラ制御パラメータを読み込み、信号処理パラメータ演算回路315に設定する（Ｆ902）。
【００８７】
システムコントローラー214は、スイッチ313をｂに切り替え、静止画信号処理用基本パラメータ312を信号処理パラメータ演算回路315に設定する（Ｆ903）。
【００８８】
信号処理パラメータ演算回路315は、読み込んだ静止画撮影時のカメラ制御パラメータと静止画信号処理用基本パラメータ312に基づいて静止画信号処理パラメータを算出し、信号処理回路209に設定する（Ｆ904）。
【００８９】
次に、内部メモリコントローラー207は、ＣＤＳ・ＡＧＣ・Ａ／Ｄ205からのＲＡＷ画像データを遮断し、内部メモリ206から、初期信号処理を行った静止画ＲＡＷ画像データを読み込み、信号処理回路209に出力する（Ｆ905）。
【００９０】
信号処理回路209は、読み込んだ静止画ＲＡＷ画像データに対し、静止画用画像処理を行い、静止画データを生成し、静止画入出力コントローラ212に出力する（Ｆ906）。
【００９１】
静止画像入出力コントローラ212は、信号処理回路209から出力された静止画データを、静止画記録媒体213に記録する（Ｆ907）。
【００９２】
カメラ制御回路310は、内部メモリコントローラ207を介して内部メモリ206にバックアップされた動画撮影終了時のカメラ制御パラメータを読み込み、信号処理パラメータ演算回路315に設定する（Ｆ908）。
【００９３】
システムコントローラー214は、スイッチ313をａに切り替え、動画信号処理用基本パラメータ311を信号処理回路209に設定する（Ｆ909）。
【００９４】
信号処理パラメータ演算回路315は、読み込んだ動画撮影時のカメラ制御パラメータと動画信号処理用基本パラメータ311に基づいて動画信号処理パラメータを算出し、信号処理回路209に設定する（Ｆ910）。
【００９５】
内部メモリコントローラ207は、ＣＤＳ・ＡＧＣ・Ａ／Ｄ205から撮像したＲＡＷ画像データを読み込み、信号処理回路209に出力し（Ｆ911）、信号処理回路209は読み込んだＲＡＷ画像データに対し、動画用画像処理を行い、動画像を生成し（Ｆ912）、動作を終了する。
【００９６】
このように動作することで、記録される静止画の設定サイズが小さい場合などに、小さなＲＡＷ画像データとして内部メモリ206などに記録することができ、多くの静止画を撮影することが可能となる。
【実施例４】
【００９７】
上記実施例１および２に加え、内部メモリ206や、静止画記録媒体213などに、圧縮したＲＡＷ画像を記録するようにしても良い。
【００９８】
このときの構成図を、図２と異なる部分について、図１０に示す。
【００９９】
1001は、ＲＡＷ画像を可逆圧縮・伸張する、ＲＡＷ圧縮伸張回路である。
【０１００】
以下に、本実施例について図１０の構成図、および、図１１、図１２のフローチャートを参照しながら説明する。
【０１０１】
動画記録・停止スイッチ215が押され、動画記録が開始されている（Ｆ1101）。この時点において、内部メモリコントローラ207は、ＣＤＳ・ＡＧＣ・Ａ／Ｄ205からのＲＡＷ画像データを信号処理回路209に出力する。信号処理パラメータ演算回路315は、カメラ制御回路310からのカメラ制御パラメータと、内部ＲＯＭ314から読み込んだ動画信号処理用基本パラメータ311に基づいて、動画信号処理パラメータを算出し、信号処理回路209に設定する。そして、信号処理回路209はＲＡＷ画像データに対し動画用の信号処理を行い、動画入出力コントローラ210を介して、動画記録媒体211に動画像を記録している。
【０１０２】
続いて、システムコントローラー214は静止画記録スイッチ216の検出および動画記録・停止スイッチ215の検出を行う（Ｆ1102、Ｆ1107）。
【０１０３】
静止画記録スイッチ216が検出されると（Ｆ1102）、内部メモリコントローラ207は信号処理回路209およびＲＡＷ圧縮伸張回路1001にＲＡＷ画像データを出力し（Ｆ1103）、ＲＡＷ圧縮伸張回路1001は、入力したＲＡＷ画像データを圧縮する（Ｆ1104）。
【０１０４】
内部メモリ206に圧縮したＲＡＷ画像データを記録する（Ｆ805）。
【０１０５】
また、このときのカメラ制御パラメータを内部メモリに記録する（Ｆ806）。
【０１０６】
動画記録・停止スイッチ215が検出されると（Ｆ1107）、動画像入出力コントローラ210は動画記録を停止する（Ｆ1108）。
【０１０７】
このとき、内部メモリ206に圧縮されたＲＡＷ画像データが記録されていた場合（Ｆ1109）、カメラ制御回路310は、内部メモリコントローラ207を介して、内部メモリ206に動画撮影終了時のカメラ制御パラメータを記録し、バックアップする（Ｆ1201）。
【０１０８】
カメラ制御回路310は、内部メモリコントローラ207を介して、内部メモリ206に記録された静止画撮影時のカメラ制御パラメータを読み込み、信号処理パラメータ演算回路315に設定する（Ｆ1202）。
【０１０９】
システムコントローラー214は、スイッチ313をｂに切り替え、静止画信号処理用基本パラメータ312を信号処理パラメータ演算回路315に設定する（Ｆ1203）。
【０１１０】
信号処理パラメータ演算回路315は、読み込んだ静止画撮影時のカメラ制御パラメータと静止画信号処理用基本パラメータ312に基づいて静止画信号処理パラメータを算出し、信号処理回路209に設定する（Ｆ1204）。
【０１１１】
次に、内部メモリコントローラー207は、ＣＤＳ・ＡＧＣ・Ａ／Ｄ205からのＲＡＷ画像データを遮断し、内部メモリ206から、圧縮されたＲＡＷ画像データを読み込み、ＲＡＷ圧縮伸張回路1001に出力する（Ｆ1205）。
【０１１２】
ＲＡＷ圧縮伸張回路1001は、圧縮されたＲＡＷ画像データを伸張し、内部メモリコントローラ207に出力する（Ｆ1206）。
【０１１３】
内部メモリコントローラー207は、ＲＡＷ圧縮伸張回路1001から伸張されたＲＡＷ画像データを読み込み、信号処理回路209に出力する（Ｆ1207）。
【０１１４】
信号処理回路209は、読み込んだ静止画ＲＡＷ画像データに対し、静止画用画像処理を行い、静止画データを生成し、静止画入出力コントローラ212に出力する（Ｆ1208）。
【０１１５】
静止画像入出力コントローラ212は、信号処理回路209から出力された静止画データを、静止画記録媒体213に記録する（Ｆ1209）。
【０１１６】
カメラ制御回路310は、内部メモリコントローラ207を介して内部メモリ206にバックアップされた動画撮影終了時のカメラ制御パラメータを読み込み、信号処理パラメータ演算回路315に設定する（Ｆ1210）。
【０１１７】
システムコントローラー214は、スイッチ313をａに切り替え、動画信号処理用基本パラメータ311を信号処理回路209に設定する（Ｆ1211）。
【０１１８】
信号処理パラメータ演算回路315は、読み込んだ動画撮影時のカメラ制御パラメータと動画信号処理用基本パラメータ311に基づいて動画信号処理パラメータを算出し、信号処理回路209に設定する（Ｆ1212）。
【０１１９】
内部メモリコントローラ207は、ＣＤＳ・ＡＧＣ・Ａ／Ｄ205から撮像したＲＡＷ画像データを読み込み、信号処理回路209に出力し（Ｆ1213）、信号処理回路209は読み込んだＲＡＷ画像データに対し、動画用画像処理を行い、動画像を生成し（Ｆ1214）、動作を終了する。
【０１２０】
このように動作することで、圧縮された小さなＲＡＷ画像データとして内部メモリ206などに記録することができ、より多くの静止画を撮影することが可能となる。
【０１２１】
また、上記実施例においては、動画像および、静止画像、静止画ＲＡＷ画像データ、カメラ制御パラメータをそれぞれ動画記録媒体、静止画記録媒体に記録しているが、これらすべてを、ハードディスクのような、ランダムアクセス可能な記録媒体に動画像と共に記録しても良い。
【図面の簡単な説明】
【０１２２】
【図１】実施例１におけるフローチャート
【図２】実施例１、２における撮像装置の全体構成図
【図３】実施例１、２におけるシステムコントローラー内部のより詳細な構成図
【図４】実施例１におけるフローチャートの続き
【図５】実施例２におけるフローチャート
【図６】実施例２におけるフローチャートの続き
【図７】実施例３における撮像装置の全体構成図
【図８】実施例３におけるフローチャート
【図９】実施例３におけるフローチャートの続き
【図１０】実施例４における撮像装置の全体構成図
【図１１】実施例４におけるフローチャート
【図１２】実施例４におけるフローチャートの続き
【符号の説明】
【０１２３】
201  レンズ
202  アイリス・メカシャッター
203  レンズ・アイリス駆動回路
204  ＣＣＤ
205  ＣＤＳ・ＡＧＣ・Ａ／Ｄ
206  内部メモリ
207  内部メモリコントローラ
208  ＴＧ
209  信号処理回路
210  動画像入出力コントローラ
211  動画記録媒体
212  静止画像入出力コントローラ
213  静止画記録媒体
214  システムコントローラー
215  動画記録・停止スイッチ
216  静止画撮影スイッチ
217  パネル出力回路
【図１】
2007166182.tif 000003
【図２】
2007166182.tif 000004
【図３】
2007166182.tif 000005
【図４】
2007166182.tif 000006
【図５】
2007166182.tif 000007
【図６】
2007166182.tif 000008
【図７】
2007166182.tif 000009
【図８】
2007166182.tif 000010
【図９】
2007166182.tif 000011
【図１０】
2007166182.tif 000012
【図１１】
2007166182.tif 000013
【図１２】
2007166182.tif 000014